(57)【要約】【課題】  装置のステータスやＣＰＵの負荷状態に応じて表示画面を分割し、分割された分割画面領域の画像データを予め設定された表示順番と表示時間で順次表示させる表示制御を行う表示制御装置および表示制御方法を提供する。【解決手段】  表示器に表示する画像情報を作成する画像情報作成手段と、画像情報作成手段で作成された画像情報を記憶する画像記憶手段と、表示器の表示領域の分割数および分割数で分割された分割表示領域にそれぞれ表示する分割画像情報および分割画像情報を分割表示領域に表示する表示順番および分割画像情報を表示順番で表示する分割画像情報の書換間隔を管理する管理手段と、管理手段により管理された分割数および分割画像情報および表示順番および書換間隔に基づき記憶手段に記憶された画像情報を表示器に表示制御する表示制御手段とを具備する。【選択図】  図３
2008164761.tif 000002
【特許請求の範囲】
【請求項１】
表示器に表示する画像情報を作成する画像情報作成手段と、
前記画像情報作成手段で作成された画像情報を記憶する画像記憶手段と、
前記表示器の表示領域の分割数および前記分割数で分割された分割表示領域にそれぞれ表示する分割画像情報および前記分割画像情報を前記分割表示領域に表示する表示順番および前記分割画像情報を前記表示順番で表示する分割画像情報の書換間隔を管理する管理手段と、
前記管理手段により管理された前記分割数および前記分割画像情報および前記表示順番および前記書換間隔に基づき前記記憶手段に記憶された前記画像情報を前記表示器に表示制御する表示制御手段と
を具備する表示制御装置。
【請求項２】
前記管理手段は、
前記表示制御手段で前記画像記憶手段に記憶された画像情報を前記表示器に最初に表示する初期状態と再表示する再表示状態とで前記分割数および前記分割画像情報および前記表示順番および前記書換間隔の少なくとも１つを異ならせて設定して管理し、
前記表示制御手段は、
前記初期状態と前記再表示状態とで前記分割数および前記分割画像情報および前記表示順番および前記書換間隔の少なくとも１つを異ならせて前記記憶手段に記憶された前記画像情報を前記表示器に表示制御する請求項１記載の表示制御装置。
【請求項３】
前記表示器が設けられた装置の稼動状態を判別する判別手段
を更に具備し、
前記管理手段は、
前記判別手段で判別された前記装置の稼動状態に応じて前記分割数および前記分割画像情報および前記表示順番および前記書換間隔の少なくとも１つを異ならせて設定して管理し、
前記表示制御手段は、
前記判別手段で判別された前記装置の稼動状態に応じて前記分割数および前記分割画像情報および前記表示順番および前記書換間隔の少なくとも１つを異ならせて前記記憶手段に記憶された前記画像情報を前記表示器に表示制御する請求項１または２記載の表示制御装置。
【請求項４】
前記管理手段は、
前記分割表示領域に対応して設定された優先順位に対応して前記表示順番を設定して管理する請求項１乃至３のいずれかに記載の表示制御装置。
【請求項５】
前記表示器が設けられた装置の制御装置の利用状態に基づき該制御装置の利用率を算出する利用率算出手段
を更に具備し、
前記管理手段は、
前記利用率算出手段で算出された前記制御装置の利用率に応じて前記分割数および前記分割画像情報および前記表示順番および前記書換間隔の少なくとも１つを異ならせて設定して管理し、
前記表示制御手段は、
前記利用率算出手段で算出された前記制御装置の利用率に応じて前記分割数および前記分割画像情報および前記表示順番および前記書換間隔の少なくとも１つを異ならせて前記記憶手段に記憶された前記画像情報を前記表示器に表示制御する請求項１乃至４のいずれかに記載の表示制御装置。
【請求項６】
前記表示制御手段は、
前記利用率算出手段で算出された前記制御装置の利用率が所定の基準値を越える場合は、前記記憶手段に記憶された前記画像情報を前記表示器に再表示する処理を中断する中断手段
を具備する請求項５記載の表示制御装置。
【請求項７】
前記管理手段は、
前記表示制御手段で表示制御される前記分割表示領域毎の分割画像情報の変更回数を計数する計数手段と、
前記計数手段で計数された計数値に対応して前記分割表示領域の少なくとも２つを合成して新たな分割表示領域を設定する合成処理を行う合成処理手段と
を具備する請求項１乃至６のいずれかに記載の表示制御装置。
【請求項８】
表示器に表示する画像情報を画像情報作成手段で作成し、
前記画像情報作成手段で作成された画像情報を画像記憶手段で記憶し、
前記表示器の表示領域の分割数および前記分割数で分割された分割表示領域にそれぞれ表示する分割画像情報および前記分割画像情報を前記分割表示領域に表示する表示順番および前記分割画像情報を前記表示順番で表示する分割画像情報の書換間隔を管理手段で管理し、
前記管理手段により管理された前記分割数および前記分割画像情報および前記表示順番および前記書換間隔に基づき前記記憶手段に記憶された前記画像情報を表示制御手段により前記表示器に表示する表示制御方法。
【請求項９】
前記管理手段は、
前記表示制御手段で前記画像記憶手段に記憶された画像情報を前記表示器に最初に表示する初期状態と再表示する再表示状態とで前記分割数および前記分割画像情報および前記表示順番および前記書換間隔の少なくとも１つを異ならせて設定して管理し、
前記表示制御手段は、
前記初期状態と前記再表示状態とで前記分割数および前記分割画像情報および前記表示順番および前記書換間隔の少なくとも１つを異ならせて前記記憶手段に記憶された前記画像情報を前記表示器に表示制御する請求項８記載の表示制御方法。
【請求項１０】
前記表示器が設けられた装置の稼動状態を判別手段で更に判別し、
前記管理手段は、
前記判別手段で判別された前記装置の稼動状態に応じて前記分割数および前記分割画像情報および前記表示順番および前記書換間隔の少なくとも１つを異ならせて設定して管理し、
前記表示制御手段は、
前記判別手段で判別された前記装置の稼動状態に応じて前記分割数および前記分割画像情報および前記表示順番および前記書換間隔の少なくとも１つを異ならせて前記記憶手段に記憶された前記画像情報を前記表示器に表示制御する請求項８または９記載の表示制御方法。
【請求項１１】
前記管理手段は、
前記分割表示領域に対応して設定された優先順位に対応して前記表示順番を設定して管理する請求項８乃至１０のいずれかに記載の表示制御方法。
【請求項１２】
前記表示器が設けられた装置の制御装置の利用状態に基づき該制御装置の利用率を利用率算出手段で更に算出し、
前記管理手段は、
前記利用率算出手段で算出された前記制御装置の利用率に応じて前記分割数および前記分割画像情報および前記表示順番および前記書換間隔の少なくとも１つを異ならせて設定して管理し、
前記表示制御手段は、
前記利用率算出手段で算出された前記制御装置の利用率に応じて前記分割数および前記分割画像情報および前記表示順番および前記書換間隔の少なくとも１つを異ならせて前記記憶手段に記憶された前記画像情報を前記表示器に表示制御する請求項８乃至１１のいずれかに記載の表示制御方法。
【請求項１３】
前記表示制御手段は、
前記利用率算出手段で算出された前記制御装置の利用率が所定の基準値を越える場合は、前記記憶手段に記憶された前記画像情報を前記表示器に再表示する処理を中断手段で中断する請求項１２記載の表示制御方法。
【請求項１４】
前記管理手段は、
前記表示制御手段で表示制御される前記分割表示領域毎の分割画像情報の変更回数を計数手段で計数し、
前記計数手段で計数された計数値に対応して前記分割表示領域の少なくとも２つを合成して新たな分割表示領域を設定する合成処理を合成処理手段で行う請求項８乃至１３のいずれかに記載の表示制御方法。
【発明の詳細な説明】
【技術分野】
【０００１】
この発明は、表示制御装置および表示制御方法に関する。
【背景技術】
【０００２】
近年、印刷装置や複写機、複合機等の画像形成装置の表示画面は、カラー化、グラフィック化され、また、表示機能もユーザインタフェースをより向上させるために高機能化されて、表示画面には種々の設定画面や情報が表示されるようになってきている。
【０００３】
この表示機能の高機能化に伴い、画像データ量が増え、画像データを表示させるためのＣＰＵによる表示処理の負荷が大きくなり、ＣＰＵによる画像形成処理の処理効率を劣化させる事態となってきている。
【０００４】
したがって、表示機能を高機能化しつつも、装置のＣＰＵが処理すべき主な処理の効率を劣化させないような種々の装置や方法の提案が求められている。
【０００５】
例えば、特許文献１には、カラー画像ファイリング装置のカラー画像とモノクロ画像を画面上に混在して表示させる場合でも、モノクロ画像の表示性能を向上させたカラー画像処理装置およびその画像データ書込み方法が提案されている。
【０００６】
また、特許文献２には、画像メモリにバスが１つしかない汎用メモリを用いても描画速度を低下させることなく、かつ同時に発色可能な最大色数をより多く確保できる画面分割表示装置が提案されている。
【０００７】
また、特許文献３には、表示画面に表示された表示キャラクタの一部を変更する際、１画面分のデータを全てコントロール部より入力する必要のない画面表示装置が提案されている。
【特許文献１】特開平０５−０３５２４１号公報
【特許文献２】特開平１０−２６８８５５号公報
【特許文献３】特開平０７−０６４５３１号公報
【発明の開示】
【発明が解決しようとする課題】
【０００８】
上記特許文献１に提案される発明は、Ｒ、Ｇ、Ｂの各画像データを格納する３プレーンの表示メモリを有するカラー画像処理装置のカラー画像は、Ｒ、Ｇ、Ｂの各画像データを表示メモリの３プレーンへ順次書込み、モノクロ画像については同一の画像データを表示メモリの３プレーンへ同時に書き込むように構成されたものである。
【０００９】
また、上記特許文献２に提案される発明は、画像メモリから複数プレーン分の画像データ色アドレス情報を読み出す際に、中央制御装置からのプレーン読み出し制御信号及びタイミング制御手段からの読み出しタイミング制御信号に加え、画面分割制御手段からの画面分割制御信号をも参照して読み出すように構成されたものである。
【００１０】
しかしながら、上記特許文献１及び特許文献２は、いずれも入力された画像データに応じて画像データの表示メモリーへの書き込み先を指定する、あるいは画面分割して表示されるように構成されたものであり、入力される画像データ量を少なくする提案は、なされていない。
【００１１】
また、上記特許文献３に提案される発明は、コントロール部から表示キャラクタの一部を変更する際に、変更する表示メモリ上の領域をレジスタ回路の設定で複数に分割し、その変更する領域を表示行単位に分割し、表示メモリの任意のアドレス番地から任意のアドレス番地までを変更する領域として指定し、変更する部分のデータをコントロール部より入力するように構成されたものである。
【００１２】
上記特許文献３によれば、表示キャラクタにおける１画面分のデータを全て書き換える必要がないので、入力される画像データ量を少なくすることが可能となり、コントロール部の処理負荷を大幅に軽減することができる。
【００１３】
しかしながら、上記特許文献３の構成では、画像データを表示キャラクタ毎にしか分割できないこと、装置のステータスやＣＰＵの負荷状態に無関係に画一的な表示処理を行うこと、表示キャラクターの再表示部分の優先順位付けした効率的な再表示ができない等の解決課題が残されている。
【００１４】
そこで、本発明は、装置のステータスやＣＰＵの負荷状態に応じて表示画面を分割し、分割された分割画面領域の画像データを予め設定された表示順番と表示時間で順次表示させる表示制御を行う表示制御装置および表示制御方法を提供することを目的とする。
【課題を解決するための手段】
【００１５】
上記目的を達成するため、請求項１の発明は、表示器に表示する画像情報を作成する画像情報作成手段と、前記画像情報作成手段で作成された画像情報を記憶する画像記憶手段と、前記表示器の表示領域の分割数および前記分割数で分割された分割表示領域にそれぞれ表示する分割画像情報および前記分割画像情報を前記分割表示領域に表示する表示順番および前記分割画像情報を前記表示順番で表示する分割画像情報の書換間隔を管理する管理手段と、前記管理手段により管理された前記分割数および前記分割画像情報および前記表示順番および前記書換間隔に基づき前記記憶手段に記憶された前記画像情報を前記表示器に表示制御する表示制御手段とを具備する表示制御装置。
【００１６】
また、請求項２の発明は、請求項１の発明において、前記管理手段は、前記表示制御手段で前記画像記憶手段に記憶された画像情報を前記表示器に最初に表示する初期状態と再表示する再表示状態とで前記分割数および前記分割画像情報および前記表示順番および前記書換間隔の少なくとも１つを異ならせて設定して管理し、前記表示制御手段は、前記初期状態と前記再表示状態とで前記分割数および前記分割画像情報および前記表示順番および前記書換間隔の少なくとも１つを異ならせて前記記憶手段に記憶された前記画像情報を前記表示器に表示制御する表示制御装置。
【００１７】
また、請求項３の発明は、請求項１または２の発明において、前記表示器が設けられた装置の稼動状態を判別する判別手段を更に具備し、前記管理手段は、前記判別手段で判別された前記装置の稼動状態に応じて前記分割数および前記分割画像情報および前記表示順番および前記書換間隔の少なくとも１つを異ならせて設定して管理し、前記表示制御手段は、前記判別手段で判別された前記装置の稼動状態に応じて前記分割数および前記分割画像情報および前記表示順番および前記書換間隔の少なくとも１つを異ならせて前記記憶手段に記憶された前記画像情報を前記表示器に表示制御する表示制御装置。
【００１８】
また、請求項４の発明は、請求項１乃至３のいずれかの発明において、前記管理手段は、前記分割表示領域に対応して設定された優先順位に対応して前記表示順番を設定して管理する表示制御装置。
【００１９】
また、請求項５の発明は、請求項１乃至４のいずれかの発明において、前記表示器が設けられた装置の制御装置の利用状態に基づき該制御装置の利用率を算出する利用率算出手段を更に具備し、前記管理手段は、前記利用率算出手段で算出された前記制御装置の利用率に応じて前記分割数および前記分割画像情報および前記表示順番および前記書換間隔の少なくとも１つを異ならせて設定して管理し、前記表示制御手段は、前記利用率算出手段で算出された前記制御装置の利用率に応じて前記分割数および前記分割画像情報および前記表示順番および前記書換間隔の少なくとも１つを異ならせて前記記憶手段に記憶された前記画像情報を前記表示器に表示制御する表示制御装置。
【００２０】
また、請求項６の発明は、請求項５の発明において、前記表示制御手段は、前記利用率算出手段で算出された前記制御装置の利用率が所定の基準値を越える場合は、前記記憶手段に記憶された前記画像情報を前記表示器に再表示する処理を中断する中断手段を具備する表示制御装置。
【００２１】
また、請求項７の発明は、請求項１乃至６のいずれかの発明において、前記管理手段は、前記表示制御手段で表示制御される前記分割表示領域毎の分割画像情報の変更回数を計数する計数手段と、前記計数手段で計数された計数値に対応して前記分割表示領域の少なくとも２つを合成して新たな分割表示領域を設定する合成処理を行う合成処理手段とを具備する表示制御装置。
【００２２】
また、請求項８の発明は、表示器に表示する画像情報を画像情報作成手段で作成し、前記画像情報作成手段で作成された画像情報を画像記憶手段で記憶し、前記表示器の表示領域の分割数および前記分割数で分割された分割表示領域にそれぞれ表示する分割画像情報および前記分割画像情報を前記分割表示領域に表示する表示順番および前記分割画像情報を前記表示順番で表示する分割画像情報の書換間隔を管理手段で管理し、前記管理手段により管理された前記分割数および前記分割画像情報および前記表示順番および前記書換間隔に基づき前記記憶手段に記憶された前記画像情報を表示制御手段により前記表示器に表示する表示制御方法。
【００２３】
また、請求項９の発明は、請求項８の発明において、前記管理手段は、前記表示制御手段で前記画像記憶手段に記憶された画像情報を前記表示器に最初に表示する初期状態と再表示する再表示状態とで前記分割数および前記分割画像情報および前記表示順番および前記書換間隔の少なくとも１つを異ならせて設定して管理し、前記表示制御手段は、前記初期状態と前記再表示状態とで前記分割数および前記分割画像情報および前記表示順番および前記書換間隔の少なくとも１つを異ならせて前記記憶手段に記憶された前記画像情報を前記表示器に表示制御する表示制御方法。
【００２４】
また、請求項１０の発明は、請求項８または９の発明において、前記表示器が設けられた装置の稼動状態を判別手段で更に判別し、前記管理手段は、前記判別手段で判別された前記装置の稼動状態に応じて前記分割数および前記分割画像情報および前記表示順番および前記書換間隔の少なくとも１つを異ならせて設定して管理し、前記表示制御手段は、前記判別手段で判別された前記装置の稼動状態に応じて前記分割数および前記分割画像情報および前記表示順番および前記書換間隔の少なくとも１つを異ならせて前記記憶手段に記憶された前記画像情報を前記表示器に表示制御する表示制御方法。
【００２５】
また、請求項１１の発明は、請求項８乃至１０のいずれかの発明において、前記管理手段は、前記分割表示領域に対応して設定された優先順位に対応して前記表示順番を設定して管理する表示制御方法。
【００２６】
また、請求項１２の発明は、請求項８乃至１１のいずれかの発明において、前記表示器が設けられた装置の制御装置の利用状態に基づき該制御装置の利用率を利用率算出手段で更に算出し、前記管理手段は、前記利用率算出手段で算出された前記制御装置の利用率に応じて前記分割数および前記分割画像情報および前記表示順番および前記書換間隔の少なくとも１つを異ならせて設定して管理し、前記表示制御手段は、前記利用率算出手段で算出された前記制御装置の利用率に応じて前記分割数および前記分割画像情報および前記表示順番および前記書換間隔の少なくとも１つを異ならせて前記記憶手段に記憶された前記画像情報を前記表示器に表示制御する表示制御方法。
【００２７】
また、請求項１３の発明は、請求項１２の発明において、前記表示制御手段は、前記利用率算出手段で算出された前記制御装置の利用率が所定の基準値を越える場合は、前記記憶手段に記憶された前記画像情報を前記表示器に再表示する処理を中断手段で中断する表示制御方法。
【００２８】
また、請求項１４の発明は、請求項８乃至１３のいずれかの発明において、前記管理手段は、前記表示制御手段で表示制御される前記分割表示領域毎の分割画像情報の変更回数を計数手段で計数し、前記計数手段で計数された計数値に対応して前記分割表示領域の少なくとも２つを合成して新たな分割表示領域を設定する合成処理を合成処理手段で行う表示制御方法。
【発明の効果】
【００２９】
本発明の表示制御装置および表示制御方法によれば、装置の稼動状態に応じた分割数で表示画面を分割し、分割された分割画面毎に表示データを表示させるので、表示処理の負荷を軽減することができる。
【００３０】
また、装置の稼動状態応じて表示データを表示画面に表示させる時間間隔が設定できるので、ユーザ操作時の表示画面の切り替えが速くなるように時間間隔を設定することで
画面切り替えによるユーザの待ち時間が短縮できる。
【００３１】
また、ジョブ実行中の表示画面の表示速度を遅く設定することで、装置の表示処理の負荷を軽減させることができる。
【００３２】
また、表示中の画面を再表示させる際に、ユーザにとって重要な情報と、そうでない情報の再表示頻度を変更して表示するので、ユーザが重要な情報を短時間で取得することができる。
【００３３】
装置の利用状態をモニターし、予め設定された利用状態以上で装置が利用されている場合は、表示処理を中断するので、表示処理による装置の処理効率の劣化を防止することができる。
【００３４】
また、ユーザによるユーザインタフェースからのコマンド入力に即応して表示画面が変化するので、装置が故障であるか否かをユーザが容易に判別できる。
【００３５】
また、本発明の表示制御方法が装置に新たな装置を付加することなく、ファームウェアーのみで実現できるので、装置の製造コストの軽減が図れる。
【００３６】
また、表示画面の分割画面領域毎に表示データを順次表示させるので、画面のちらつきが少ないという効果を奏する。
【発明を実施するための最良の形態】
【００３７】
以下、本発明に係わる表示制御装置および表示制御方法の一実施例について添付図面を参照して詳細に説明する。
【００３８】
図１は、本発明に係わる表示制御装置および表示制御方法が適用された画像形成装置１００の機能的な構成を示すブロック図である。
【００３９】
図１に示すように、画像形成装置１００は、複写機能、印刷機能、通信機能等を備えた複合機であり、画像読取部１、画像形成部２、電源供給部３、制御部４、外部インタフェース部５、記憶部６、ユーザインタフェース部７を備えている。
【００４０】
画像読取部１は、主に複写機能の制御を行う部であり、原稿の画像を光学的に読み取るイメージスキャナー等の画像読取装置で構成され、原稿から読み取った画像データを記憶部６に記憶させる。
【００４１】
画像形成部２は、主に印刷機能の制御を行う部であり、画像読取部１で読み取った画像データまたはＬＡＮ（＝Ｌｏｃａｌ  Ａｒｅａ  Ｎｅｔｗｏｒｋ）１０等のネットワークを介して印刷指示された印刷データを用紙等の媒体上に形成して出力する。
【００４２】
電源供給部３は、画像形成装置１００への電源供給の制御を行う。
【００４３】
外部インタフェース部５は、画像形成装置１００とＬＡＮ１０を介して接続される他の装置（外部装置）との制御信号やデータ信号の授受の通信制御を行う。
【００４４】
記憶部６は、ＲＯＭ（＝Ｒｅａｄ  Ｏｎｌｙ  Ｍｅｍｏｒｙ）やＲＡＭ（＝Ｒａｎｄｏｍ  Ａｃｃｅｓｓ  Ｍｅｍｏｒｙ）、不揮発性メモリ（＝Ｎｏｎｖｏｌａｔｉｌｅ  Ｍｅｍｏｒｙ）等の記憶装置で構成され、画像データや各種データ、プログラム等を記憶装置に記憶保持する。
【００４５】
この記憶部６のＲＯＭには、本発明の表示制御方法を実現するための表示制御プログラム８がインストールされており、この表示制御プログラム８が制御部４によりＲＯＭから読み出され、ＲＡＭ等を利用して実行動作することで本発明の表示制御方法の制御動作が実現する。
【００４６】
ユーザインタフェース部７は、ＬＣＤ（＝Ｌｉｑｕｉｄ  Ｃｒｙｓｔａｌ  Ｍｏｎｉｔｏｒ）、ＬＥＤ（＝Ｌｉｇｈｔ  Ｅｍｉｔｔｉｎｇ  Ｄｉｏｄｅ）等の表示装置や操作キー等の装置で構成され、画像形成装置１００に対してユーザが指示操作する、あるいは画像形成装置１００からユーザに対して通知するための各種情報や指示情報の入出力制御を行う。
【００４７】
制御部４は、画像形成装置１００のＣＰＵ（＝Ｃｅｎｔｒａｌ  Ｐｒｏｃｅｓｓｉｎｇ  Ｕｎｉｔ）であり、画像形成装置１００の各部を制御し、画像形成装置１００全体を統括制御する。
【００４８】
また、表示制御プログラム８を実行動作させ、表示制御プログラム８に記述された命令に基づく制御を行う。
【００４９】
このように構成された画像形成装置１００で原稿を複写する場合は、画像形成装置１００の図示せぬプラテンガラス上に原稿を置き、ユーザインタフェース部７の図示せぬ複写指示キーを押下することで、原稿の画像が画像読取部１で読み取られ、所定の画像処理が施された後、画像形成部２で用紙上に形成されて出力される。
【００５０】
また、印刷データを印刷出力する場合は、画像形成装置１００とＬＡＮ１０で接続された外部装置から画像形成装置１００に対して印刷指示し、印刷データを送信することで、印刷指示及び印刷データが画像形成装置１００の外部インタフェース部５を介して受信され、印刷データに所定の画像処理が施された後、画像形成部２で用紙上に形成されて出力される。
【００５１】
ところで、画像形成装置１００は、画像データを表示装置（ユーザインタフェース部７）に表示させる際に、画像形成装置１００のステータス（稼動状態）に応じた表示制御を行うことで、画像形成装置１００のＣＰＵによる表示処理の負荷を軽減し、ＣＰＵによる画像形成処理の処理効率を劣化させないように構成されている。
【００５２】
この制御動作は、前述したように、表示制御プログラム８が制御部４によりＲＯＭから読み出され、ＲＡＭ等を利用して実行動作することで実現される。
【００５３】
図２は、表示制御プログラム８の機能的な構成を示すブロック図である。
【００５４】
図２に示すように、表示制御プログラム８は、稼動状態判定部８００と、画像情報作成部８０１と、分割画像情報作成部８０２と、表示制御部８０３とで構成されている。  
稼動状態判定部８００は、画像形成装置１００の各種センサー９等の検知結果に基づき画像形成装置１００の動作状態、例えば初期状態、待機状態、ジョブ実行状態等の各ステータスを判定し、検知する。
【００５５】
画像情報作成部８０１は、稼動状態判定部８００で検知された画像形成装置１００のステータスに応じて表示装置（ユーザインタフェース部７）の表示画面７０に表示する画像データを記憶部６（例えばＲＯＭ）から読み込み画像メモリ６０に記憶させる。
【００５６】
尚、記憶部６には画像形成装置１００のステータスに応じて表示画面７０に表示する画像データ６１（初期画面）、画像データ６２（待機画面）、画像データ６３（ジョブ実行画面）の各画像データが予め記憶保持されている。
【００５７】
分割画像情報作成部８０２は、表示画面７０の表示領域に対応して画像メモリ６０に記憶された画像データのうちの所定の分割数で分割される表示画面７０の各分割領域（以下、説明の便宜上、「分割画面領域」という。）に対応する分割画像データを特定し、画像メモリ６０に記憶された分割画像データのアドレス情報６４を作成し記憶する。
【００５８】
具体的には、予め設定された分割数で表示画面７０が左右に２分割される場合、画像情報作成部８０１により表示画面７０の表示領域に対応して画像メモリ６０に記憶された画像データの各アドレス情報のうちの表示画面７０の左半分の分割画面領域（左半分）に対応する各画像データのアドレス情報（左半分）と、右半分の分割画面領域（右半分）に対応する各画像データのアドレス情報（右半分）とに区分し、テーブル管理する。
【００５９】
表示制御部８０３は、各分割画面領域の分割画像データを予め設定された各分割画面領域の表示順番に従って一定時間毎に順次表示する制御を行う。
【００６０】
具体的には、例えば前例のように、表示画面７０が左右に２分割され、左半分、右半分の各分割画面領域の順に０．１秒間隔で各分割画面領域の分割画像データを表示するように設定されていた場合には、表示制御部８０３が分割画像情報作成部８０２で作成された前例のアドレス情報（左半分）に基づき画像メモリ６０からアドレス情報（左半分）に記憶された全ての分割画像データを読み込み、分割画面領域（左半分）に表示させる。
【００６１】
また、分割画面領域（左半分）の全ての分割画像データ表示後、０，１秒が経過すると、前例のアドレス情報（右半分）に基づき画像メモリ６０からアドレス情報（右半分）に記憶された全ての分割画像データを読み込み、分割画面領域（右半分）に表示させる制御を行う。
【００６２】
尚、分割数、各分割画面領域の表示順番、各分割画面領域を表示する時間間隔等の各情報は、これらの情報と画像形成装置１００のステータス情報とが対応付けされた表示制御情報４００として記憶部６に予め設定記憶されている。
【００６３】
このように構成された表示制御プログラム８を備えた画像形成装置１００が自装置１００のステータスに対応して行う表示制御について図３を参照して説明する。
【００６４】
図３は、画像形成装置１００がステータスに応じて行う表示制御の流れの一例を示す流れ図である。
【００６５】
なお、図３においては、画像形成装置１００の電源投入後、初期状態、待機状態、ジョブ実行状態及び電源断までの一連の動作における表示制御の流れについて説明する。
【００６６】
図３に示すように、画像形成装置１００の電源が投入（ＯＮ）されると、電源供給部３により電源が供給され、制御部４の制御に基づき画像形成装置１００の各部が順次起動して初期化処理を開始する（ステップＳ０２０）。
【００６７】
また、表示制御プログラム８が制御部４によりＲＯＭから読み出され、実行動作するとともに、制御部４は、画像形成装置１００の稼動状態が初期状態であることを示す「０１」値をステータス情報として設定し（ステップＳ０２１）、初期状態（ステータス「０１」値）時に表示する初期画面をユーザインタフェース部７の表示画面７０に表示する表示処理を行う（ステップＳ０２２）。
【００６８】
なお、初期画面の表示処理の詳細は、後述する（図４乃至図６参照）。
【００６９】
初期画面が表示され、画像形成装置１００の初期化処理が終了すると（ステップＳ０２３でＹＥＳ）、制御部４は、画像形成装置１００を待機状態へ移行させる制御を行い、ステータス情報として待機状態を示す「０２」値を設定し（ステップＳ０２４、ステップＳ０２５）、待機状態（ステータス「０２」値）時に表示する待機画面を表示画面７０に表示する表示処理を行う（ステップＳ０２６）。
【００７０】
なお、ここで言う待機状態とは、画像形成装置１００がジョブ実行指令や割り込み処理実行指令を受信次第、これらの指示を受け付けて実行できる状態であり、この待機画面の表示処理の詳細は、後述する（図４乃至図６参照）。
【００７１】
待機状態において、画像形成装置１００にジョブ実行指令が入力されると（ステップＳ０２７でＹＥＳ）、制御部４は、指示されたジョブの実行を開始し、ステータス情報としてジョブ実行状態を示す「０３」値を設定し（ステップＳ０２８、ステップＳ０２９）、ジョブ実行状態（ステータス「０３」値）時に表示するジョブ実行画面を表示画面７０に表示する表示処理を行う（ステップＳ０３０）。
【００７２】
なお、ジョブ実行画面の表示処理の詳細は、後述する（図４乃至図６参照）。
【００７３】
画像形成装置１００による実行中のジョブの処理が終了すると（ステップＳ０３１でＹＥＳ）、電源が切断（ＯＦＦ）された場合は（ステップＳ０３２でＹＥＳ）、画像形成装置１００の動作を終了し、そうでなければ（ステップＳ０３２でＮＯ）、ステップＳ０２４の待機状態へ移行し、ステップＳ０２５乃至ステップＳ０３２の各制御動作を繰り返し行う。
【００７４】
なお、画像形成装置１００の稼動状態は、制御部４が画像形成装置１００が備える各種センサ９の検知結果に基づき画像形成装置１００が初期状態、待機状態、ジョブ実行状態等の何れのステータスであるかを検知する。
【００７５】
ここで、前述のステップＳ０２２の初期画面、ステップＳ０２６の待機画面、ステップＳ０３０のジョブ実行画面の各表示処理の制御動作について、図４乃至図６を参照して説明する。
【００７６】
なお、図４は、各画面（初期画面、待機画面、ジョブ実行画面）の表示処理の制御動作の一例を示す流れ図、図５は、表示制御情報４００の一例を示す図、図６は、分割された表示画面の各分割画面領域の一例を示す図である。
【００７７】
図４に示すように、制御部４は、画像形成装置１００の現在のステータス情報を確認し（ステップＳ２００）、現在のステータスに対応した各画面（初期画面、待機画面、ジョブ実行画面）を表示制御情報４００に基づきユーザインタフェース部７の表示画面７０に表示する制御を行う。
【００７８】
表示制御情報４００は、図５に示すように、「ステータス」４０１、「ステータスＩＤ」４０２、「分割数」４０３、「書換間隔」４０４、「再表示分割数」４０５、「再表示書換間隔」４０６、「表示順番」４０７、「再表示順番」４０８等の各項目に対応する情報が記憶保持されるように構成されている。
【００７９】
「ステータス」４０１には、画像形成装置１００の初期状態、待機状態、ジョブ実行状態等を示すステータス情報が記憶保持され、「ステータスＩＤ」４０２には、各ステータスを識別するための識別情報、例えば「０１」の初期状態、「０２」の待機状態、「０３」のジョブ実行状態を示す各情報が記憶保持される。
【００８０】
また、「分割数」４０３には、各ステータスに対応してユーザインタフェース部７の表示画面７０を複数の分割画面領域に分割する数の情報が記憶保持され、「書換間隔」４０４には、複数の分割画面領域に分割された表示画面７０のある分割画面領域に分割画像データを表示後、次の分割画面領域に分割画像データを表示させる時間間隔を示す情報が秒単位で記憶保持されている。
【００８１】
本発明の表示制御方法は、画像形成装置１００のステータスに応じた画面（例えば初期画面、待機画面、ジョブ実行画面等）の画像データを一括して表示画面７０に表示せずに、表示画面７０を複数の分割画面領域に分割し、各分割画面領域毎にそれぞれの分割画像データを順次表示させることで、制御部４による表示処理の負荷を軽減させるようにしている。
【００８２】
また、本発明の表示制御方法は、各ステータスに対応して表示された画面（例えば初期画面、待機画面、ジョブ実行画面等）の画像データを一定時間毎に再表示させる際に、表示画面７０を更に多くの分割画面領域に分割し、各分割画面領域毎にそれぞれの分割画像データを順次表示させて、制御部４による表示処理の負荷をより軽減させるよう構成されている。
【００８３】
表示制御情報４００の「再表示分割数」４０５には、各ステータス応じて表示された画面（例えば初期画面、待機画面、ジョブ実行画面等）の画像データを再表示させる際の表示画面７０の分割数の情報が記憶保持され、「再表示書換間隔」４０６には、再表示分割数で分割された各分割画面領域のある分割画面領域に分割画像データを表示後、次の分割画面領域に分割画像データを表示する時間間隔を示す情報が秒単位で記憶保持されている。
【００８４】
また、「表示順番」４０７には、各分割画面領域に分割画像データを表示する順番の情報が記憶保持され、「再表示順番」４０８には、画面を再表示する際の各分割画面領域に分割画像データを表示する順番の情報が記憶保持されている。
【００８５】
この「表示順番」４０７及び「再表示順番」４０８には、各分割画面領域に対応する分割画像データの画像メモリ６０上のアドレス情報が記録されたテーブルの識別情報が各分割画面領域の表示順番に対応して記憶保持されている。
【００８６】
具体的には、表示制御情報４００において、「ステータスＩＤ」４０２が「０１」の初期状態の場合は、「ステータスＩＤ」４０２の「０１」に対応する「表示順番」４０７には「ａ１、ａ２」が記憶されており、「ａ１」は、表示画面７０が２分割（「分割数」４０３が「２」）された各分割画面領域のうちのある分割画面領域に対応する全分割画像データのアドレス情報が記録されたテーブル名を示し、「ａ２」は、他の分割画面領域に対応する全分割画像データのアドレス情報が記録されたテーブル名を示している。
【００８７】
また、「ａ１、ａ２」の記録順番は、各分割画面領域の表示順番に対応しており、左から順に各テーブルに記録されたアドレス情報に対応する分割画像データを優先的に表示することを示している。
【００８８】
この場合は、最初にａ１のテーブルに記録されたアドレス情報に対応する分割画像データを表示し、次にａ２のテーブルに記録されたアドレス情報に対応する分割画像データを表示することを示している。
【００８９】
このように構成された表示制御情報４００を参照することで、前述のステップＳ０２２の初期画面の表示処理（図３参照）は、制御部４が現在のステータス（この場合は、初期状態を示す「０１」）と一致する表示制御情報４００の「ステータスＩＤ」４０２の「０１」に対応付けされた「分割数」４０３の「２」と、「書換間隔」４０４の「０．１」と、「表示順番」４０７の「ａ１、ａ２」の各表示制御情報に基づき初期画面をユーザインタフェース部７の表示画面７０に表示する（ステップＳ２０１、ステップＳ２０２）。
【００９０】
具体的には、例えば図６（ａ）に示すように、表示画面７０を左右に２分割し、各分割画面領域（Ａ１、Ａ２）の分割画像データを「表示順番」４０７の「ａ１、ａ２」に基づき最初にａ１のテーブルに記録されたアドレス情報に対応する画像メモリ６０上の全画像データ（分割画像データ）を分割画面領域（Ａ１）に表示し、その後０，１秒後にａ２のテーブルに記録されたアドレス情報に対応する画像メモリ６０上の全画像データ（分割画像データ）を分割画面領域（Ａ２）に表示する表示制御を行う。
【００９１】
各分割画面領域に分割画像データが全て表示され、初期画面表示後（ステップＳ２０３でＹＥＳ）、再表示書換間隔「０．２」秒の間にステータスの変更または割込表示変更がなかった場合は（ステップＳ２０４でＮＯ、ステップＳ２０５でＹＥＳ）、初期画面を再表示するための表示制御を行う（ステップＳ２０６）。
【００９２】
具体的には、制御部４が表示制御情報４００の「ステータスＩＤ」４０２の「０１」に対応付けされた「再表示分割数」４０５の「３」と、「再表示書換間隔」４０６の「０．２」と、「再表示順番」４０８の「ｂ１、ｂ３、ｂ２」の各表示制御情報に基づき例えば図６（ｂ）に示すように、表示画面７０を左右方向に３分割し、各分割画面領域（Ｂ１、Ｂ２、Ｂ３）の分割画像データを「再表示順番」４０８の「ｂ１、ｂ３、ｂ２」に基づき左から順にｂ１のテーブルに記録されたアドレス情報に対応する画像メモリ６０上の画像データ（分割画像データ）を分割画面領域（Ｂ１）に表示（１番目）し、その後０，２秒後にｂ３のテーブルに記録されたアドレス情報に対応する画像データ（分割画像データ）を分割画面領域（Ｂ３）に表示（２番目）し、その後０，２秒後にｂ２のテーブルに記録されたアドレス情報に対応する画像データ（分割画像データ）を分割画面領域（Ｂ２）に表示（３番目）する再表示制御を行う。
【００９３】
再表示分割数で分割した各分割画面領域の分割画像データが全て表示され、初期画面が再表示されると（ステップＳ２０７でＹＥＳ）、ステータスの変更または割込表示変更があるまで前述のステップＳ２０４乃至ステップＳ２０７の初期画面の再表示制御を繰り返し行う。
【００９４】
また、前述のステップＳ０２６における待機画面の表示処理（図３参照）は、制御部４が現在のステータス（この場合は、待機状態を示す「０２」）と一致する表示制御情報４００の「ステータスＩＤ」４０２の「０２」に対応付けされた「分割数」４０３の「４」と、「書換間隔」４０４の「０．２」と、「表示順番」４０７の「ｃ１、ｃ２、ｃ３、ｃ４」の各表示制御情報に基づき待機画面をユーザインタフェース部７の表示画面７０に表示する（ステップＳ２０１、ステップＳ２０２）。
【００９５】
具体的には、例えば図６（ｃ）に示すように、表示画面７０を上下左右に４分割し、各分割画面領域（Ｃ１、Ｃ２、Ｃ３、Ｃ４）の分割画像データを「表示順番」４０７の「ｃ１、ｃ２、ｃ３、ｃ４」に基づき左から順にｃ１のテーブルに記録されたアドレス情報に対応する分割画像データを分割画面領域（Ｃ１）に表示（１番目）し、その後０，２秒後にｃ２のテーブルに記録されたアドレス情報に対応する分割画像データを分割画面領域（Ｃ２）に表示（２番目）し、その後０，２秒後にｃ３のテーブルに記録されたアドレス情報に対応する分割画像データを分割画面領域（Ｃ３）に表示（３番目）し、その後０，２秒後にｃ４のテーブルに記録されたアドレス情報に対応する分割画像データを分割画面領域（Ｃ４）に表示（４番目）に表示する表示制御を行う（ステップＳ２００乃至ステップＳ２０２）。
【００９６】
各分割画面領域に分割画像データが全て表示され、待機画面表示後（ステップＳ２０３でＹＥＳ）、再表示書換間隔「０．４」秒の間にステータスの変更または割込表示変更がなかった場合は（ステップＳ２０４でＮＯ、ステップＳ２０５でＹＥＳ）、待機画面を再表示するための表示制御を行う（ステップＳ２０６）。
【００９７】
具体的には、制御部４が表示制御情報４００の「ステータスＩＤ」４０２の「０２」に対応付けされた「再表示分割数」４０５の「８」と、「再表示書換間隔」４０６の「０．４」と、「再表示順番」４０８の「ｄ５、ｄ６、ｄ１、ｄ２、ｄ３、ｄ４、ｄ７、ｄ８」の各表示制御情報に基づき例えば図６（ｄ）に示すように、表示画面７０を上下方向に４分割し、４分割された各分割領域を更に左右方向に２分割して８分割し、各分割画面領域（Ｄ１、Ｄ２、Ｄ３、Ｄ４、Ｄ５、Ｄ６、Ｄ７、Ｄ８）の分割画像データを「再表示順番」４０８の「ｄ５、ｄ６、ｄ１、ｄ２、ｄ３、ｄ４、ｄ７、ｄ８」の順に各テーブルに記録されたアドレス情報に対応する分割画像データの再表示制御を行う。
【００９８】
この場合は、Ｄ５、Ｄ６、Ｄ１、Ｄ２、Ｄ３、Ｄ４、Ｄ７、Ｄ８の各分割画面領域の順で各分割画面領域に対応する分割画像データが０．４秒（再表示書換間隔が０．４）毎に順次再表示される。
【００９９】
なお、ｄ１乃至ｄ８の各テーブルにはＤ１乃至Ｄ８の各分割画面領域に対応する分割画像データのアドレス情報がそれぞれ記録されている。
【０１００】
再表示分割数で分割した各分割画面領域の画像データが全て表示され、待機画面が再表示されると（ステップＳ２０７でＹＥＳ）、ステータスの変更または割込表示変更があるまで前述のステップＳ２０４乃至ステップＳ２０７の待機画面の再表示制御を繰り返し行う。  
また、前述のステップＳ０３０におけるジョブ実行画面の表示処理（図３参照）は、制御部４が現在のステータス（この場合は、ジョブ実行状態を示す「０３」）と一致する表示制御情報４００の「ステータスＩＤ」４０２の「０３」に対応付けされた「分割数」４０３の「８」と、「書換間隔」４０４の「０．３」と、「表示順番」４０７の「ｅ１、ｅ２、ｅ３、ｅ４、ｅ５、ｅ６、ｅ７、ｅ８」の各表示制御情報に基づきジョブ実行画面をユーザインタフェース部７の表示画面７０に表示する（ステップＳ２０１、ステップＳ２０２）。
【０１０１】
具体的には、例えば図６（ｅ）に示すように、表示画面７０を上下に２分割し、２分割された各分割領域を更に左右方向に４分割して８分割し、各分割画面領域（Ｅ１、Ｅ２、Ｅ３、Ｅ４、Ｅ５、Ｅ６、Ｅ７、Ｅ８）の分割画像データを「表示順番」４０７の「ｅ１、ｅ２、ｅ３、ｅ４、ｅ５、ｅ６、ｅ７、ｅ８」に基づき表示する表示制御を行う（ステップＳ２００乃至ステップＳ２０２）。
【０１０２】
この場合は、Ｅ１、Ｅ２、Ｅ３、Ｅ４、Ｅ５、Ｅ６、Ｅ７、Ｅ８の各分割画面領域の順で各分割画面領域に対応する分割画像データが０．３秒（書換間隔が０．３）毎に順次表示される。
【０１０３】
各分割画面領域に分割画像データが全て表示され、ジョブ実行画面表示後（ステップＳ２０３でＹＥＳ）、再表示書換間隔「０．６」秒の間にステータスの変更または割込表示変更がなかった場合は（ステップＳ２０４でＮＯ、ステップＳ２０５でＹＥＳ）、ジョブ実行画面を再表示するための表示制御を行う（ステップＳ２０６）。
【０１０４】
具体的には、制御部４が表示制御情報４００の「ステータスＩＤ」４０２の「０３」に対応付けされた「再表示分割数」４０５の「１２」と、「再表示書換間隔」４０６の「０．６」と、「再表示順番」４０８の「ｆ９、ｆ１０、ｆ１１、ｆ１２、ｆ５、ｆ１、ｆ２、ｆ６、ｆ７、ｆ３、ｆ４、ｆ８」の各表示制御情報に基づき例えば図６（ｆ）に示すように、表示画面を上下方向に３分割し、３分割された各分割領域を更に左右方向に４分割して１２分割し、各分割画面領域（Ｆ１、Ｆ２、Ｆ３、Ｆ４、Ｆ５、Ｆ６、Ｆ７、Ｆ８、Ｆ９、Ｆ１０、Ｆ１１、Ｆ１２）の分割画像データを「再表示順番」４０８の「ｆ９、ｆ１０、ｆ１１、ｆ１２、ｆ５、ｆ１、ｆ２、ｆ６、ｆ７、ｆ３、ｆ４、ｆ８」の順に各テーブルに記録されたアドレス情報に対応する分割画像データの再表示制御を行う。
【０１０５】
この場合は、Ｆ９、Ｆ１０、Ｆ１１、Ｆ１２、Ｆ５、Ｆ１、Ｆ２、Ｆ６、Ｆ７、Ｆ３、Ｆ４、Ｆ８の各分割画面領域の順で各分割画面領域に対応する分割画像データが０．６秒（再表示書換間隔が０．６）毎に順次再表示される。
【０１０６】
なお、ｆ１乃至ｆ１２の各テーブルにはＦ１乃至Ｆ１２の各分割画面領域に対応する分割画像データのアドレス情報がそれぞれ記録されている。
【０１０７】
再表示分割数で分割した各分割画面領域の分割画像データが全て表示され、ジョブ実行画面が再表示されると（ステップＳ２０７でＹＥＳ）、ステータスの変更または割込表示変更があるまで前述のステップＳ２０４乃至ステップＳ２０７のジョブ実行画面の再表示制御を繰り返し行う。
【０１０８】
なお、ステータスの変更は、例えば初期状態から待機状態への移行または待機状態からジョブ実行状態への移行等の画像形成装置１００の稼動状態が変化することであり、また、割込表示変更は、例えば待機状態中にユーザの操作キー押下によるスキャン指示やジョブ実行中の実行中止、用紙詰まり等の発生に伴う表示画面の変更等である。
【０１０９】
次に、画像形成装置のＣＰＵの負荷状態とステータスに応じた表示制御を行う本発明の表示制御方法が適用された画像形成装置１０１について図７乃至図１２を参照して説明する。
【０１１０】
図７は、画像形成装置１０１の機能的な構成を示すブロック図であり、前述の画像形成装置１００と同様に構成された画像形成装置１０１の各部には、画像形成装置１００と同一符号が付されている。
【０１１１】
図７に示すように、画像形成装置１０１は、記憶部６に表示制御プログラム８０を表示制御プログラム８（画像形成装置１００の場合）と置き換えてインストールし、画像形成装置１００のＣＰＵ利用率とステータスとに対応付けされた表示制御情報４１０を記憶部６に表示制御情報４００（画像形成装置１００の場合）と置き換えて記憶させた他は、画像形成装置１００と同様に構成されている。
【０１１２】
尚、画像形成装置１０１の各部の構成については、前述の説明（図１参照）を参照することとし、ここでは説明を省略する。また、表示制御情報４１０の詳細は、後述する。
【０１１３】
図８は、表示制御プログラム８０の機能的な構成を示すブロック図である。
【０１１４】
図８において、表示制御プログラム８０の表示制御プログラム８と同様に構成された各部には、表示制御プログラム８と同一の符号が付されており、表示制御プログラム８０は、ＣＰＵ利用率算出部８０４を備え、分割画像情報作成部８０２が表示制御情報４１０に基づき分割画像情報を作成するように構成された他は、表示制御プログラム８と同様に構成されている。
【０１１５】
したがって、表示制御プログラム８０の稼動状態判定部８００、画像情報作成部８０１、分割画像情報作成部８０２、表示制御部８０３の各構成の説明は、前述の説明（図２参照）を参照することとする。
【０１１６】
表示制御プログラム８０のＣＰＵ利用率算出部８０４は、画像形成装置１００の各種センサー９等の検知結果やＣＰＵの負荷状態に基づきＣＰＵ利用率を算出する。
【０１１７】
具体的には、現在のＣＰＵの負荷状態に基づきＣＰＵの全性能（１００）に対する現在のＣＰＵの負荷状態の割合をＣＰＵ利用率として算出する。
【０１１８】
このように構成された表示制御プログラム８０を備える画像形成装置１０１が画像形成装置１０１のＣＰＵの負荷状態に基づくＣＰＵ利用率とステータスに応じて行う表示制御について図９を参照して説明する。
【０１１９】
図９は、画像形成装置１０１が自装置１０１のＣＰＵ利用率とステータスに応じて行う表示制御の流れの一例を示す流れ図である。
【０１２０】
図９に示すように、画像形成装置１０１の電源が投入（ＯＮ）されると、電源供給部３により電源が供給され、制御部４の制御に基づき画像形成装置１０１の各部が順次起動して画像形成装置１０１の初期化処理を開始する（ステップＳ０４０）。
【０１２１】
また、表示制御プログラム８０が制御部４によりＲＯＭから読み出され、実行動作するとともに、ステータスに画像形成装置１０１が初期状態であることを示す「０１」値を設定し（ステップＳ０４１）、初期状態（ステータス「０１」値）時に表示する初期画面をユーザインタフェース部７の表示画面７０に表示する表示処理を行う（ステップＳ０４２）。
【０１２２】
なお、初期画面の表示処理の詳細は、後述する（図１０乃至図１２参照）。
【０１２３】
初期画面が表示され、画像形成装置１０１の初期化処理が終了すると（ステップＳ０４３でＹＥＳ）、制御部４は、画像形成装置１０１を待機状態へ移行させる制御を行い、ステータス情報として待機状態を示す「０２」値を設定し（ステップＳ０４４、ステップＳ０４５）、ＣＰＵ利用率に応じて待機状態（ステータス「０２」値）時に表示する待機画面を表示画面７０に表示する表示処理を行う（ステップＳ０４６）。
【０１２４】
なお、待機画面の表示処理の詳細は、後述する（図１０乃至図１２参照）。
【０１２５】
待機状態において、ジョブ実行指令が画像形成装置１０１に入力されると（ステップＳ０４７でＹＥＳ）、制御部４は、指示されたジョブの実行を開始し、ステータス情報としてジョブ実行状態を示す「０３」値を設定し（ステップＳ０４８、ステップＳ０４９）、ＣＰＵ利用率に応じてジョブ実行状態（ステータス「０３」値）時に表示するジョブ実行画面を表示画面７０に表示する表示処理を行う（ステップＳ０５０）。
【０１２６】
なお、ジョブ実行画面の表示処理の詳細は、後述する（図１０乃至１２参照）。
【０１２７】
画像形成装置１０１による実行中のジョブが終了すると（ステップＳ０５１でＹＥＳ）、電源が切断（ＯＦＦ）された場合は（ステップＳ０５２でＹＥＳ）、画像形成装置１０１の動作を終了し、そうでなければ（ステップＳ０５２でＮＯ）、ステップＳ０４４の待機状態へ移行し、ステップＳ０４５乃至ステップＳ０５２の各制御動作を繰り返し行う。
【０１２８】
ここで、前述のステップＳ０４２の初期画面、ステップＳ０４６の待機画面、ステップＳ０５０のジョブ実行画面の各表示処理の詳細について、図１０乃至図１２を参照して説明する。
【０１２９】
なお、図１０は、各画面（初期画面、待機画面、ジョブ実行画面）の表示制御の流れの一例を示す流れ図、図１１は、表示制御情報４１０の一例を示す図、図１２は、分割された表示画面の各分割領域を示す図である。
【０１３０】
図１０に示すように、画像形成装置１０１の制御部４は、画像形成装置１０１の現在のステータス情報と、ＣＰＵの全性能（１００）に対する現在のＣＰＵの負荷状態の割合をＣＰＵ利用率として算出して取得し（ステップＳ４００、ステップＳ４０１）、現在のステータスとＣＰＵ利用率に対応した各画面（初期画面、待機画面、ジョブ実行画面）の表示制御を図１１に示す表示制御情報４１０に基づき行う。
【０１３１】
表示制御情報４１０は、図１１に示すように、「ＣＰＵ利用率」４１９、「ステータス」４１１、「ステータスＩＤ」４１２、「分割数」４１３、「書換間隔」４１４、「再表示分割数」４１５、「再表示書換間隔」４１６、「表示順番」４１７、「再表示順番」４１８等の各項目に対応する情報が記憶保持されるように構成されており、「ＣＰＵ利用率」４１９には、画像形成装置１００の現在のＣＰＵ利用率を２５％未満、２５％以上５０％未満、５０％以上の３段階に区分したＣＰＵ利用率の情報が記憶保持されている。
【０１３２】
また、「ステータス」４１１、「ステータスＩＤ」４１２、「分割数」４１３、「再表示分割数」４１４、「書換間隔」４１５、「再表示書換間隔」４１６、「表示順番」４１７、「再表示順番」４１８等の各項目には、３段階に区分されたＣＰＵ利用率における各ステータスに対応した表示制御情報が記憶保持されている。
【０１３３】
なお、表示制御情報４１０の「ステータス」４１１、「ステータスＩＤ」４１２、「分割数」４１３、「書換間隔」４１４、「再表示分割数」４１５、「再表示書換間隔」４１６、「表示順番」４１７、「再表示順番」４１８等の各項目が示す情報は、前述の表示制御情報４００（図５参照）で説明した内容と同様であるので、説明の便宜上、ここでは説明を省略する。
【０１３４】
このように構成された表示制御情報４１０を参照することで、前述のステップＳ４００及びステップＳ４０１において、現在のＣＰＵ利用率が５０％未満（ステップＳ４０２でＮＯ）、または５０％以上（ステップＳ４０２でＹＥＳ）でステータスがジョブ実行中（ステータスが「０３」）でなければ（ステップＳ４０３でＮＯ）、表示制御情報４１０に基づく各ＣＰＵ利用率（２５％未満または２５％以上５０％未満または５０％以上）の各ステータスに対応付けされた画面を表示する（ステップＳ４０５、ステップＳ４０６）。  
具体的には、例えば、現在のＣＰＵ利用率が２５％未満でステータスが「０１」の初期状態の場合は、表示制御情報４１０の「ＣＰＵ利用率」４１９が「２５％未満」で、「ステータスＩＤ」４１２が「０１」（初期状態）に対応付けされた「分割数」４１３の「２」と、「書換間隔」４１４の「０．１」と、「表示順番」４１７の「ｇ１、ｇ２」の各表示制御情報に基づき例えば図１２（ａ）に示すように、表示画面７０を左右に２分割し、各分割画面領域（Ｇ１、Ｇ２）の分割画像データを「表示順番」４１７の「ｇ１、ｇ２」に基づき左から順にｇ１のテーブルに記録されたアドレス情報に対応する画像メモリ６０上の画像データ（分割画像データ）を分割画面領域（Ｇ１）に表示（１番目）する。
【０１３５】
また、分割画面領域（Ｇ１）に分割画像データを表示後、０，１秒経過すると、ｇ２のテーブルに記録されたアドレス情報に対応する分割画像データを分割画面領域（Ｇ２）に表示（２番目）する表示制御を行う。
【０１３６】
なお、ｇ１のテーブルにはＧ１、ｇ２のテーブルにはＧ２の各分割画面領域に対応する分割画像データのアドレス情報がそれぞれ記録されている。
【０１３７】
初期画面表示後（ステップＳ４０７でＹＥＳ）、再表示書換間隔「０．２」秒の間にステータスの変更または割込表示変更がなかった場合は（ステップＳ４０８でＮＯ、ステップＳ４０９でＹＥＳ）、「再表示分割数」４１５の「３」と、「再表示書換間隔」４１６の「０．２」と、「再表示順番」４１８の「ｈ１、ｈ３、ｈ２」の各表示制御情報に基づき例えば図１２（ｂ）に示すように、表示画面７０を左右方向に３分割し、各分割画面領域（Ｈ１、Ｈ２、Ｈ３）の分割画像データを「再表示順番」４１８の「ｈ１、ｈ３、ｈ２」に基づき各分割画面領域に各分割画像データを順次表示する。
【０１３８】
具体的には、「再表示順番」４１８の「ｈ１、ｈ３、ｈ２」の左から順にｈ１のテーブルに記録されたアドレス情報に対応する分割画像データ（画像メモリ６０上の画像データ）を分割画面領域（Ｈ１）に表示（１番目）し、その後０，２秒後にｈ３のテーブルに記録されたアドレス情報に対応する分割画像データを分割画面領域（Ｈ３）に表示（２番目）し、その後０，２秒後にｈ２のテーブルに記録されたアドレス情報に対応する分割画像データを分割画面領域（Ｈ２）に表示（３番目）する表示制御を行う（ステップＳ４１０）。
【０１３９】
なお、ｈ１乃至ｈ３の各テーブルにはＨ１乃至Ｈ３の各分割画面領域に対応する分割画像データのアドレス情報がそれぞれ記録されている。
【０１４０】
初期画面が再表示されると（ステップＳ４１１でＹＥＳ）、ステータスの変更または割込表示変更があるまで前述のステップＳ４０８乃至ステップＳ４１１の初期画面の再表示制御を繰り返し行う。
【０１４１】
また、例えば、現在のＣＰＵ利用率が５０％以上でステータスが「０２」の待機状態の場合は（ステップＳ４０２でＹＥＳ、ステップＳ４０３でＮＯ）、表示制御情報４１０の「ＣＰＵ利用率」４１９が「５０％以上」で、「ステータスＩＤ」４１２が「０２」（待機状態）に対応付けされた「分割数」４１３の「４」と、「書換間隔」４１４の「０．２」と、「表示順番」４１７の「ｊ１乃至ｊ４」の各表示制御情報に基づき例えば図１２（ｃ）に示すように、表示画面７０を上下左右に４分割し、４分割された各分割画面領域（Ｊ１乃至Ｊ４）の分割画像データを「表示順番」４１７の「ｊ１、ｊ２、ｊ３、ｊ４」に基づき０．２秒毎にＪ１、Ｊ２、Ｊ３、Ｊ４の順に各分割画面領域の分割画像データ（ｊ１、ｊ２、ｊ３、ｊ４の各テーブルに記録されたアドレス情報に対応する画像メモリ６０上の画像データ）を表示して待機画面の表示制御を行う（ステップＳ４０５、ステップＳ４０６）。
【０１４２】
なお、ｊ１乃至ｊ４の各テーブルにはＪ１乃至Ｊ４の各分割画面領域に対応する分割画像データのアドレス情報がそれぞれ記録されている。
【０１４３】
待機画面表示後（ステップＳ４０７でＹＥＳ）、再表示書換間隔「０．４」秒の間にステータスの変更または割込表示変更がなかった場合は（ステップＳ４０８でＮＯ、ステップＳ４０９でＹＥＳ）、「再表示分割数」４１５の「８」と、「再表示書換間隔」４１６の「０．４」と、「再表示順番」４１８の「ｋ５、ｋ６、ｋ１、ｋ２、ｋ３、ｋ４、ｋ７、ｋ８」の各表示制御情報に基づき例えば図１２（ｄ）に示すように、表示画面７０を上下に４分割し、４分割された各分割領域を更に左右に２分割して８分割し、８分割した各分割画面領域（Ｋ１乃至Ｋ８）の分割画像データを「再表示順番」４１８の「ｋ５、ｋ６、ｋ１、ｋ２、ｋ３、ｋ４、ｋ７、ｋ８」に基づき再表示する。
【０１４４】
具体的には、０．４秒毎にＫ５、Ｋ６、Ｋ１、Ｋ２、Ｋ３、Ｋ４、Ｋ７、Ｋ８の順に各分割画面領域の分割画像データを再表示して待機画面の表示制御を行う（ステップＳ４１０）。
【０１４５】
なお、ｋ１乃至ｋ８の各テーブルにはＫ１乃至Ｋ８の各分割画面領域に対応する分割画像データのアドレス情報がそれぞれ記録されている。
【０１４６】
待機画面が再表示されると（ステップＳ４１１でＹＥＳ）、ステータスの変更または割込表示変更があるまで前述のステップＳ４０８乃至ステップＳ４１１の待機画面の再表示制御を繰り返し行う。
【０１４７】
また、現在のＣＰＵの利用率が５０％以上でステータスが「０３」のジョブ実行中の場合は（ステップＳ４０２でＹＥＳ、ステップＳ４０３でＹＥＳ）、予め設定された一定時間の間は（ステップＳ４０４でＮＯ）、表示処理を中断し、一定時間経過後（ステップＳ４０４でＹＥＳ）、現在のステータスとＣＰＵの利用率に応じたジョブ実行画面の表示制御を表示制御情報４１０に基づき行う（ステップＳ４０５）。
【０１４８】
具体的には、表示制御情報４１０の「ＣＰＵ利用率」４１９が「５０％以上」で、「ステータスＩＤ」４１２が「０３」（ジョブ実行状態）に対応付けされた「分割数」４１３の「８」と、「書換間隔」４１４の「０．３」と、「表示順番」４１７の「ｍ１乃至ｍ８」の各表示制御情報に基づき例えば図１２（ｅ）に示すように、表示画面７０を上下に２分割し、２分割された各分割領域を更に左右に４分割して８分割し、８分割した各分割画面領域（Ｍ１乃至Ｍ８）の分割画像データを「表示順番」４１７の「ｍ１、ｍ２、ｍ３、ｍ４、ｍ５、ｍ６、ｍ７、ｍ８」に基づき０．３秒毎にＭ１、Ｍ２、Ｍ３、Ｍ４、Ｍ５、Ｍ６、Ｍ７、Ｍ８の順に各分割画面領域の分割画像データを表示してジョブ実行画面の表示制御を行う（ステップＳ４０５、ステップＳ４０６）。
【０１４９】
ジョブ実行画面表示後（ステップＳ４０７でＹＥＳ）、再表示書換間隔「０．６」秒の間にステータスの変更または割込表示変更の発生がなかった場合は（ステップＳ４０８でＮＯ、ステップＳ４０９でＹＥＳ）、「再表示分割数」４１５の「１２」と、「再表示書換間隔」４１６の「０．６」と、「再表示順番」４１８の「ｎ９、ｎ１０、ｎ１１、ｎ１２、ｎ５、ｎ１、ｎ２、ｎ６、ｎ７、ｎ３、ｎ４、ｎ８」の各表示制御情報に基づき例えば図１２（ｆ）に示すように、表示画面７０を上下に３分割し、３分割された各分割領域を更に左右に４分割して１２分割し、１２分割した各分割画面領域（Ｎ１乃至Ｎ１２）の分割画像データを「再表示順番」４１８の「ｎ９、ｎ１０、ｎ１１、ｎ１２、ｎ５、ｎ１、ｎ２、ｎ６、ｎ７、ｎ３、ｎ４、ｎ８」に基づき０．６秒毎にＮ９、Ｎ１０、Ｎ１１、Ｎ１２、Ｎ５、Ｎ１、Ｎ２、Ｎ６、Ｎ７、Ｎ３、Ｎ４、Ｎ８の順に各分割画面領域の分割画像データを再表示してジョブ実行画面の再表示制御を行う（ステップＳ４１０）。
【０１５０】
ジョブ実行画面が再表示されると（ステップＳ４１１でＹＥＳ）、ステータスの変更または割込表示変更があるまで前述のステップＳ４０８乃至ステップＳ４１１のジョブ実行画面の再表示制御を繰り返し行う。
【０１５１】
なお、ｎ１乃至ｎ１２の各テーブルにはＮ１乃至Ｎ１２の各分割画面領域に対応する分割画像データのアドレス情報がそれぞれ記録されている。
【０１５２】
なお、現在のＣＰＵの利用率が２５％未満でステータスが「０２」の待機状態あるいはステータスが「０３」のジョブ実行状態、現在のＣＰＵの利用率が２５％以上５０％未満でステータスが「０１」の初期状態あるいはステータスが「０２」の待機状態あるいはステータスが「０３」のジョブ実行状態、現在のＣＰＵの利用率が５０％以上でステータスが「０１」の初期状態の表示制御も前述の表示制御と同様に、現在のＣＰＵの利用率とステータスに応じた各画面（初期画面、待機画面、ジョブ実行画面）の表示制御を表示制御情報４１０に基づき行う。
【０１５３】
次に、画像形成装置のステータスまたはＣＰＵ利用率とステータスに応じて表示された画面の画像データの内容変更頻度に応じた表示制御を行う本発明の表示制御方法を適用した画像形成装置１０２について図１３乃至図１８を参照して説明する。
【０１５４】
図１３は、画像形成装置１０２の機能的な構成を示すブロック図であり、前述の画像形成装置１００と同様に構成された画像形成装置１０２の各部には、画像形成装置１００と同一符号が付されている。
【０１５５】
図１３に示すように、画像形成装置１０２は、記憶部６に表示制御プログラム８１を表示制御プログラム８または表示制御プログラム８０と置き換えてインストールした他は、画像形成装置１００または画像形成装置１０１と同様に構成されており、画像形成装置１０２の各部の構成については前述の説明（図１参照）を参照することとし、ここでは説明を省略する。
【０１５６】
図１４は、表示制御プログラム８１の機能的な構成を示すブロック図である。
【０１５７】
図１４において、表示制御プログラム８１の表示制御プログラム８または表示制御プログラム８０と同様に構成された各部には、表示制御プログラム８または表示制御プログラム８０と同一の符号が付されており、表示制御プログラム８１は、統計処理部８０５を備えて構成された他は、表示制御プログラム８または表示制御プログラム８０と同様に構成されている。
【０１５８】
したがって、表示制御プログラム８１の稼動状態判定部８００、画像情報作成部８０１、分割画像情報作成部８０２、表示制御部８０３、ＣＰＵ利用率算出部８０４の各構成の説明は、前述の説明（図２及び図８参照）を参照することとする。
【０１５９】
表示制御プログラム８１の統計処理部８０５は、現在のステータスまたは現在のＣＰＵ利用率とステータスとに応じた画面の（初期画面または待機画面またはジョブ実行画面）を表示後、再表示が繰り返し行われている所定の時間内での各分割画面領域の分割画像データの内容が変更された回数を計数し、計数結果に基づき各分割画面領域のうちの隣接する分割画面領域で画像データの内容変更回数が一致する領域を１つの領域として併合する処理を行う。
【０１６０】
また、併合処理後の画面の分割領域の数を再表示分割数として設定し、この再表示分割数で分割される各分割画面領域の分割画像データの再表示回数と、各分割画像領域の再表示回数に基づく各分割画像領域の再表示順番を算出して、統計処理に基づく表示制御情報を作成する。
【０１６１】
このように構成された表示制御プログラム８１を備えた画像形成装置１０２が画像形成装置１０２のステータスまたはステータスとＣＰＵの負荷状態に応じて表示された画面の画像データの内容変更頻度に応じて行う表示制御について図１５を参照して説明する。
【０１６２】
図１５は、画像形成装置１０２がステータスまたはＣＰＵ利用率とステータスに応じて表示された画面の画像データの内容変更頻度に応じて行う表示制御の流れの一例を示す流れ図である。
【０１６３】
図１５に示すように、画像形成装置１０２の電源が投入（ＯＮ）されると、電源供給部３により電源が供給され、制御部４の制御に基づき画像形成装置１０２の各部が順次起動して画像形成装置１０２の初期化処理を開始する（ステップＳ０６０）。
【０１６４】
また、表示制御プログラム８１が制御部４によりＲＯＭから読み出され、実行動作するとともに、制御部４は、画像形成装置１０２の稼動状態が初期状態であることを示す「０１」値をステータス情報として設定し（ステップＳ０６１）、初期状態（ステータス「０１」値）時に表示する初期画面を表示画面７０に表示する表示処理を行う（ステップＳ０６２）。
【０１６５】
なお、初期画面の表示処理の詳細は、後述する（図１６乃至図１８参照）。
【０１６６】
初期画面が表示され、画像形成装置１０２の初期化処理が終了すると（ステップＳ０６３でＹＥＳ）、制御部４は、画像形成装置１０２を待機状態へ移行させる制御を行い、ステータス情報として待機状態を示す「０２」値を設定し（ステップＳ０６４、ステップＳ０６５）、待機状態（ステータス「０２」値）時に表示する待機画面を表示画面７０に表示する表示処理を行う（ステップＳ０６６）。
【０１６７】
なお、待機画面の表示処理の詳細は、後述する（図１６乃至図１８参照）。
【０１６８】
待機状態において、ジョブ実行指令が画像形成装置１０２に入力されると（ステップＳ０６７でＹＥＳ）、制御部４は、指示されたジョブの実行を開始し、ステータス情報としてジョブ実行状態を示す「０３」値を設定し（ステップＳ０６８、ステップＳ０６９）、ジョブ実行（ステータス「０３」値）時に表示するジョブ実行画面を表示画面７０に表示する表示処理を行う（ステップＳ０７０）。
【０１６９】
なお、ジョブ実行画面の表示処理の詳細は、後述する（図１６乃至図１８参照）。
【０１７０】
画像形成装置１０２で実行中のジョブが終了すると（ステップＳ０７１でＹＥＳ）、電源が切断（ＯＦＦ）された場合は（ステップＳ０７２でＹＥＳ）、画像形成装置１０２の動作を終了し、そうでなければ（ステップＳ０７２でＮＯ）、ステップＳ０６４の待機状態へ移行し、ステップＳ０６５乃至ステップＳ０７２の各制御動作を繰り返し行う。
【０１７１】
ここで、前述のステップＳ０６２の初期画面、ステップＳ０６６の待機画面、ステップＳ０７０のジョブ実行画面の各表示処理の詳細について、図１６乃至図１８を参照して説明する。
【０１７２】
なお、図１６は、各画面（初期画面、待機画面、ジョブ実行画面）の表示制御の流れの一例を示す流れ図、図１７は、統計処理の流れの一例を示す流れ図、図１８は、分割された表示画面７０の各分割画面領域を示す図である。
【０１７３】
図１６に示すように、制御部４は、表示制御情報と、画像形成装置１０２の現在のステータスまたは現在のＣＰＵ利用率とステータスに応じた画面（初期画面または待機画面またはジョブ実行画面）の表示制御を行う（ステップＳ６００）。
【０１７４】
現在のステータスまたは現在のＣＰＵ利用率とステータスに応じた画面表示後、図示せぬタイマーによる時間計測を開始し、各表示制御情報の再表示書換間隔の間にステータスの変更または割込表示変更の発生がなかった場合は（ステップＳ６０１でＮＯ、ステップＳ６０２でＹＥＳ）、各表示制御情報の再表示分割数と、再表示書換間隔と、再表示順番の各表示制御情報に基づき現在のステータスまたは現在のＣＰＵ利用率とステータスに応じた画面（初期画面または待機画面またはジョブ実行画面）を再表示する表示制御を行う（ステップＳ６０３）。
【０１７５】
なお、ステップＳ６００及びステップＳ６０３における表示制御は、現在のステータスに応じた画面を表示する場合は、例えば前述の図４で示した表示制御の動作手順に従い、図５で示した表示制御情報４００に基づき現在のステータスに応じた画面（初期画面または待機画面またはジョブ実行画面）を表示画面７０に表示または再表示し、現在のＣＰＵ利用率とステータスに応じた画面を表示する場合は、例えば前述の図１０で示した表示制御の動作手順に従い、図１１で示した表示制御情報４１０に基づき現在のＣＰＵ利用率とステータスに応じた画面（初期画面または待機画面またはジョブ実行画面）を表示画面７０に表示または再表示する。
【０１７６】
現在のステータスまたは現在のＣＰＵ利用率とステータスに応じた画面（初期画面または待機画面またはジョブ実行画面）が再表示されると、再表示分割数で分割された各分割画面領域毎に再表示前後の分割画像データの内容を比較し、内容変更があった場合は、当該分割画面領域の内容変更回数を「１」加算し、当該分割画面領域の内容変更回数を計数する（ステップＳ６０４）。
【０１７７】
現在のステータスまたは現在のＣＰＵ利用率とステータスに応じた画面の各分割画面領域の内容変更回数を計数後、タイマーによる時間計測の結果が予め設定された一定時間に達してない場合は（ステップＳ６０５でＮＯ）、前述のステップＳ６０１乃至ステップＳ６０５のステータスの変更または割込表示変更が発生するか、もしくはタイマーによる時間計測の結果が予め設定された一定時間を経過するまで再表示書換間隔毎に画面を再表示する表示制御を行う。
【０１７８】
ステップＳ６０５において、タイマーによる時間計測の結果が予め設定された一定時間を経過した場合は（ステップＳ６０５でＹＥＳ）、タイマーによる時間計測の停止し、現在のステータスまたは現在のＣＰＵ利用率とステータスに応じた画面の各分割画面領域の内容変更回数の計数結果に基づく統計処理を行い（ステップＳ６０６）、統計処理後、画面の各分割画面領域の内容変更回数の計数結果をリセットし、統計処理で算出された再表示分割数、再表示回数、再表示順番と、各表示制御情報の再表示書換間隔とに基づき各分割画面領域の分割画像データを表示画面７０に順次表示する（ステップＳ６０７）。
【０１７９】
なお、この統計処理の詳細については、後述する（図１７及び図１８参照）。
【０１８０】
統計処理で算出された表示制御情報に基づき再表示後、タイマーによる時間計測を開始するとともに統計処理に基づく再表示分割数で分割された画面の各分割画面領域毎に再表示前後の画像データの内容を比較し、内容変更があった場合は、当該分割画面領域の内容変更回数を「１」加算し、当該分割画面領域の内容変更回数を計数する（ステップＳ６０８）。
【０１８１】
また、画面の再表示後、タイマーによる時間計測の結果が予め設定された一定時間に達するまでにステータスの変更または割込表示変更がなく、再表示書換間隔の時間が経過した場合は（ステップＳ６０９でＮＯ、ステップＳ６１０でＹＥＳ、ステップＳ６１１でＮＯ）、前述のステップＳ６０７乃至ステップＳ６１１のステータスの変更または割込表示変更が発生するか、もしくはタイマーによる時間計測の結果が予め設定された一定時間を経過するまで再表示書換間隔毎に統計処理で算出された表示制御情報に基づき再表示する表示制御を行う。
【０１８２】
また、ステップＳ６１１において、タイマーによる時間計測の結果が予め設定された一定時間を経過した場合は（ステップＳ６１１でＹＥＳ）、タイマーによる時間計測の停止し、前述のステップＳ６０６乃至ステップＳ６１１の再表示画面の各分割画面領域の内容変更回数の計数結果に基づき統計処理を行い（ステップＳ６０６）、統計処理後、画面の各分割画面領域の内容変更回数の計数結果をリセットし、統計処理で算出された表示制御情報に基づき各分割画面領域の分割画像データを表示画面７０に順次表示する表示制御を繰り返し行う。
【０１８３】
次に、前述のステップＳ６０６における統計処理の詳細について、図１７及び図１８を参照して説明する。
【０１８４】
なお、図１７は、統計処理の動作を示す流れ図であり、図１８は、統計処理により算出される各表示制御情報を説明する説明図である。
【０１８５】
図１７に示すように、統計処理は、現在のステータスまたは現在のＣＰＵ利用率とステータスに応じた画面の各分割画面領域のうちの隣接する分割画面領域で画像データの内容変更回数が一致する領域を１つの領域として併合する処理を行い（ステップＳ７００）、併合処理後の画面の分割画面領域の数を再表示分割数として設定する（ステップＳ７０１）。
【０１８６】
具体的には、現在のステータスまたは現在のＣＰＵ利用率とステータスに応じた画面の各分割画面領域において、隣接する２つの分割画面領域で内容変更回数が一致する領域を１つの領域として併合する処理を行う。
【０１８７】
例えば、図１８（ａ）に示すように、現在のステータスまたは現在のＣＰＵ利用率とステータスに応じた画面が１２分割された分割画面領域（Ｐ１、Ｐ２、Ｐ３、Ｐ４、Ｐ５、Ｐ６、Ｐ７、Ｐ８、Ｐ９、Ｐ１０、Ｐ１１、Ｐ１２）毎に各分割画像データが表示されている場合において、各分割画面領域の内容変更回数の計数結果が図１８（ｂ）に示すように、Ｐ１乃至Ｐ５及びＰ８乃至Ｐ１２がそれぞれ「２回」、Ｐ６及びＰ７がそれぞれ「５回」であった場合は、Ｐ１とＰ２、Ｐ３とＰ４、Ｐ９とＰ１０、Ｐ１１とＰ１２の各分割画面領域をそれぞれ１つの分割画面領域として併合し、図１８（ｃ）に示すような８分割の分割画面領域（Ｑ１、Ｑ２、Ｑ３、Ｑ４、Ｑ５、Ｑ６、Ｑ７、Ｑ８）に併合する。
【０１８８】
また、併合処理後の画面の各分割画面領域の内容変更回数の最小値に基づき各分割画面領域の再表示回数を算出する（ステップＳ７０２）。
【０１８９】
具体的には、図１８（ｃ）に示すような各分割画面領域（Ｑ１乃至Ｑ８）の内容変更回数が図１８（ｄ）に示すような場合は、各分割画面領域（Ｑ１乃至Ｑ８）の内容変更回数のうちの最小値を特定し、特定した最小値で各分割画面領域の内容変更回数をそれぞれ除算し、少数点以下の数値を切り捨てた値を各分割画面領域の分割画像データの再表示回数として算出する。
【０１９０】
例えば、図１８（ｅ）に示すように、分割画面領域（Ｑ１）の再表示回数は、図１８（ｄ）に示すような分割画面領域（Ｑ１）の内容変更回数「２」を最小値「２」で除算した値「１」の小数点以下を切り捨てた値「１」と算出する。
【０１９１】
また、例えば、図１８（ｅ）に示すように、分割画面領域（Ｑ４）の再表示回数は、図１８（ｄ）に示すような分割画面領域（Ｑ４）の内容変更回数「５」を最小値「２」で除算した値「２．５」の小数点以下を切り捨てた値「２」と算出し、同様な算出方法で全ての分割画面領域の再表示回数を算出する。
【０１９２】
また、算出された各分割画面領域（Ｑ１乃至Ｑ８）の再表示回数に基づき各分割画面領域（Ｑ１乃至Ｑ８）の分割画像データの再表示順番を算出する（ステップＳ７０３）。
【０１９３】
具体的には、画面の各分割画面領域（Ｑ１乃至Ｑ８）のうちの上行から下行へ、同行の左列から右列の順に、再表示回数が大きい分割画面領域の表示順番を先順とし、１番から全分割画面領域の再表示回数を加算した値の順番までの表示順番付けを行う。
【０１９４】
例えば、図１８（ｆ）に示すように、前述（図１８（ｅ））の８分割された各分割画面領域（Ｑ１乃至Ｑ８）の再表示回数が算出された場合は、全ての分割画面領域の再表示回数を加算した値「１０」に基づき１番から１０番までの表示順番付けをＱ４、Ｑ５、Ｑ１、Ｑ２、Ｑ４、Ｑ５、Ｑ６、Ｑ７、Ｑ８の各分割画面領域の順番として算出する。
【０１９５】
この場合は、Ｑ４及びＱ５の表示回数がそれぞれ２回なので、1番目にＱ４、２番目にＱ５の優先順位で表示させ、以降の表示順番は、表示画面の上行から下行へ、同行の左列から右列の順に従った順番付けを行う。
【０１９６】
尚、Ｑ４は１番目と６番目、Ｑ５は２番目と７番目でそれぞれ各分割画像データが２回表示される。
【０１９７】
併合処理後の再表示分割数、各分割画面領域の再表示回数及び再表示順番を算出後、統計処理は終了する。
【０１９８】
以上説明した本発明に係わる表示制御方法は、Ｒ（レッド）、Ｇ（グリーン）、Ｂ（ブルー）の３プレーンの表示メモリとカラー表示装置を備える画像形成装置にも同様に適用可能である。
【０１９９】
例えば、Ｒ、Ｇ、Ｂの各画像データを格納する３プレーンの表示メモリとカラー表示装置を備える画像形成装置に本発明の表示制御方法を適用する場合は、画像形成装置のカラー表示画面を画像形成装置のステータスまたはＣＰＵ利用率とステータスに応じてカラー表示画面を複数の分割画面領域に分割し、該分割画面領域に対応するカラー分割画像データを予め設定された各分割画面領域の表示順番と書換間隔で順次表示または再表示させる。
【０２００】
この場合は、各プレーン毎に各プレーンに格納された画像データの中から分割画面領域のカラー分割画像データに対応する各分割画像データ（Ｒ、Ｇ、Ｂ）をそれぞれ特定して管理し、各分割画面領域の表示順番と書換間隔とに同期して各プレーンの各分割画面領域に対応する分割画像データ（Ｒ、Ｇ、Ｂ）を表示または再表示させる。
【０２０１】
また、画像形成装置のステータスまたはＣＰＵ利用率とステータスに応じて再表示された各分割画面領域の画像データの内容の変更頻度に基づきカラー表示画面の分割数、各分割画面領域の再表示順番、再表示書換間隔、各分割領域の表示回数を決定し、これらの表示制御情報に基づき各分割画面領域に対応する分割画像データを再表示させる。
【０２０２】
この場合は、各分割画面領域の表示内容の変更頻度に基づき分割された各分割画面領域に対応するカラー分割画像データを各プレーに格納された画像データの中からそれぞれ特定して管理し、各分割画面領域の表示順番と書換間隔と表示回数とに同期して各プレーンの各分割画面領域に対応する分割画像データ（Ｒ、Ｇ、Ｂ）を表示または再表示させる。  
このような表示制御を行う表示制御プログラムをＲＧＢの３プレーンの表示メモリとカラー表示装置を備える画像形成装置に記憶させ、実行させることで当該画像形成装置の表示処理の負荷を軽減し、画像形成処理の処理効率の劣化が防止できる。
【０２０３】
また、本発明の表示制御方法における表示画面の分割方法は、表示画面を１ライン毎または数ライン毎に分割するように構成することも可能である。
【０２０４】
例えばＬＣＤ（＝Ｌｉｑｕｉｄ  Ｃｒｙｓｔａｌ  Ｍｏｎｉｔｏｒ）等の表示装置には、１ライン毎に表示データを書き換えるものもあり、このような表示装置の場合は、画像形成装置のステータスまたはＣＰＵ利用率とステータスに応じたライン数で構成される分割画面領域に表示画面を分割する。
【０２０５】
また、画像形成装置のステータスまたはＣＰＵ利用率とステータスに応じて再表示された各分割画面領域の分割画像データの内容の変更頻度に基づき表示画面を分割する分割画面領域のライン数を決定し、決定されたライン数で表示画面を分割する。
【産業上の利用可能性】
【０２０６】
本発明は、表示画面を備える装置の表示処理の負荷を軽減する表示制御技術に適用可能である。  
【図面の簡単な説明】
【０２０７】
【図１】本発明に係わる表示制御装置および表示制御方法を適用した画像形成装置１００の機能的な構成を示すブロック図
【図２】表示制御プログラム８の機能的な構成を示すブロック図
【図３】画像形成装置１００のステータスに応じて行う表示制御の流れ図
【図４】各画面（初期画面、待機画面、ジョブ実行画面）の表示制御の流れ図
【図５】表示制御情報４００の一例を示す図
【図６】分割された表示画面の各分割画面領域を示す図
【図７】本発明に係わる表示制御装置および表示制御方法を適用した画像形成装置１０１の機能的な構成を示すブロック図
【図８】表示制御プログラム８０の機能的な構成を示すブロック図
【図９】画像形成装置１０１のＣＰＵの負荷状態とステータスに応じて行う表示制御の流れ図
【図１０】各画面（初期画面、待機画面、ジョブ実行画面）の表示制御の流れ図
【図１１】表示制御情報４１０の一例を示す図
【図１２】分割された表示画面の各分割画面領域を示す図
【図１３】本発明に係わる表示制御装置および表示制御方法を適用した画像形成装置１０２の機能的な構成を示すブロック図
【図１４】表示制御プログラム８１の機能的な構成を示すブロック図
【図１５】画像形成装置１０２の表示画面に表示された画像データの内容の変更頻度に応じて行う表示制御の流れ図
【図１６】各画面（初期画面、待機画面、ジョブ実行画面）の表示制御の流れ図
【図１７】統計処理の流れ図
【図１８】分割された表示画面の各分割画面領域を示す図
【符号の説明】
【０２０８】
１      画像読取部
２      画像形成部
３      電源供給部
４      制御部
５      外部インタフェース部
６      記憶部
７      ユーザインタフェース部
９      各種センサ
８、８０、８１  表示制御プログラム
１０    ＬＡＮ（＝Ｌｏｃａｌ  Ａｒｅａ  Ｎｅｔｗｏｒｋ）
６０    画像メモリ
６１、６２、６３  ステータス毎の画像データ
６４    アドレス情報管理テーブル（分割画像データ）
７０    表示画面
１００、１０１、１０２  画像形成装置
４００、４１０  表示制御情報
８００  稼動状態判定部
８０１  画像情報作成部
８０２  分割画像情報作成部
８０３  表示制御部
８０４  ＣＰＵ利用率算出部
８０５  統計処理部
【図１】
2008164761.tif 000003
【図２】
2008164761.tif 000004
【図３】
2008164761.tif 000005
【図４】
2008164761.tif 000006
【図５】
2008164761.tif 000007
【図６】
2008164761.tif 000008
【図７】
2008164761.tif 000009
【図８】
2008164761.tif 000010
【図９】
2008164761.tif 000011
【図１０】
2008164761.tif 000012
【図１１】
2008164761.tif 000013
【図１２】
2008164761.tif 000014
【図１３】
2008164761.tif 000015
【図１４】
2008164761.tif 000016
【図１５】
2008164761.tif 000017
【図１６】
2008164761.tif 000018
【図１７】
2008164761.tif 000019
【図１８】
2008164761.tif 000020